(57)【要約】【課題】  着座者の上半身が後傾したとき、その背中の複雑な動きに柔軟かつ正確に追従できる背もたれの支持機構を提供すること。【解決手段】  椅子の座板１後方に立上げられた背もたれ支持アーム２の前面に、背もたれ３を、その下部において前記アーム２の立上がり部に水平な軸ｍにより軸支すると共に、前記軸支部2aより上方において当該背もたれ３の背面側の左，右部を弾性部材４を介して支持した。【選択図】図１
2011000451.tif 000002
【特許請求の範囲】
【請求項１】
椅子の座板後方に立上げられた背もたれ支持アームに、背もたれを、その下部において水平な軸により軸支すると共に、前記軸支部より上方において当該背もたれの背面側の左，右部を弾性部材を介して支持したことを特徴とする椅子の背もたれの支持機構。
【請求項２】
背もたれの下部の略央部に位置する軸支点と、該支点より上方の背面側における左，右２箇所の支持点は、３つの支持点が略逆三角形の頂点に位置するように形成した請求項１の椅子の背もたれの支持機構。
【請求項３】
弾性部材は、ゴム又はバネである請求項１又は２の椅子の背もたれの支持機構。
【請求項４】
背もたれは、背もたれ支持アームに対し上，下に変位可能に支持させた請求項１〜３のいずれかの椅子の背もたれの支持機構。
【請求項５】
背もたれ支持アームは、座板に対し前，後に傾動可能で、前傾方向に付勢されている請求項１〜４のいずれかの椅子の背もたれの支持機構。
【発明の詳細な説明】
【技術分野】
【０００１】
本発明はオフィス等で使用される椅子の背もたれの支持機構に関する。
【背景技術】
【０００２】
最近のオフィス等で使用される椅子は、着座者の姿勢の変化に座板や背もたれがよく追従して動作するようにした高機能のものが多い。これはオフィス等で椅子に長時間に亘り座って事務作業を行う者を疲れにくくしたり、作業を行い易くするためであるが、背もたれについては、着座者の姿勢の変化に追従するといっても、着座者の真後ろ側への後傾に従って背もたれの支持アームと一体に後傾するだけのものが多く、着座中における着座者の背中の複雑な動きに正確に追従する構造になったものは少ない。
【０００３】
即ち、従来のオフィス等で使用される椅子の背もたれは、椅子座板の後方から立ち上げられた支持アームに背もたれのアウターシェル部材を一体的に取付けた構造のものが多いが、このような背もたれでは、着座者の姿勢が後傾し乍ら左，右に傾いたときや捩れるように変位したとき、或は、後傾し乍ら背中が上，下に変位するときなどには追従できなかったり、追従が十分でないため違和感を生じていた。この違和感をなくすために、背もたれの内部に厚めにクッション材を入れて着座者の背中側の不均等な変位を吸収するようにしたものもあるが、背もたれが大きくなりすぎてしまうという問題のほか、クッション材が厚すぎると、背中がクッション材の中に沈み込んでしまうことにより別の違和感を覚えるという問題もあった。
【０００４】
また、従来の椅子では、着座者の上半身の後傾に追従して背もたれも後傾するが、着座者の背中部分の傾動の中心と背もたれの支持アームの傾動の中心が異なるため、この傾動中心の相違に起因する違和感が生じていた。この違和感をなくすため、支持アーム上において背もたれが上，下方向で首を振る形態に取付けたものがあるが、首振り動作の中心は背もたれの上下幅における中間部であるため、上記の違和感を本質的に解消できるものではなかった。
【発明の概要】
【発明が解決しようとする課題】
【０００５】
本発明は、上記従来の椅子の背もたれに起因する問題点に鑑み、背もたれ支持アームによる背もたれの支持機構を見直し、着座者の上半身が後傾したとき、その背中の複雑な動きに柔軟かつ正確に追従できる背もたれの支持機構を提供することを、その課題とするものである。
【課題を解決するための手段】
【０００６】
上記課題を解決することを目的としてなされた本発明の構成は、椅子の座板後方に立上げられた背もたれ支持アームに、背もたれを、その下部において水平な軸により軸支すると共に、前記軸支部より上方において当該背もたれの背面側の左，右部を弾性部材を介して支持したことを特徴とするものである。
【０００７】
上記の背もたれは、その下部の略央部に位置する軸支点と、該支点より上方の背面側における左，右２箇所の支持により、３つの支持点が略逆三角形の頂点に位置するように形成するのが好ましい。これにより、背もたれの真後ろへの後傾と、後傾しつつ右又は左へ傾くことが実現される。また、上記の弾性部材には、ゴム又はバネを用い、また、背もたれは、背もたれ支持アームに対し上，下に変位可能に支持させることもできる。更に、背もたれ支持アームは、座板に対し前，後に傾動可能で、前傾方向に付勢されているものであってもよい。
【発明の効果】
【０００８】
本発明は、上記の背もたれ支持機構であるから、着座者の上半身の後傾時の複雑な動きに柔軟かつ正確に追従することができる。
【図面の簡単な説明】
【０００９】
【図１】本発明背もたれ支持機構の一例により支持した背もたれの側面図。
【図２】図１の背もたれのＡ−Ａ線矢視断面図。
【図３】図１の背もたれを説明するための分解した構成部材の斜視図。
【図４】背もたれと支持アームの取付態様を説明するための要部を拡大した斜視図。
【図５】図４に示した取付態様を別の角度から視た斜視図。
【図６】本発明背もたれ支持機構を具備する椅子の側面図。
【発明を実施するための形態】
【００１０】
図において、１はオフィス用回転椅子などの座板、２はこの座板１の後方から立ち上げられた背もたれの支持アームである。支持アーム２は、ここでは下部側が座板１の下側に向けて曲げられその先端部が椅子のベース部材Ｂに固定、或は、回動可能に取付けられている。支持アーム２がベース部材Ｂに回動可能に取付けられる場合、支持アーム２は、座板１に対し前，後に傾動可能で、前傾する方向にバネなどにより付勢されている。なお、Ｔは支持アーム２をベース部材Ｂに回動可能に取付けるときの枢着軸である。
【００１１】
３は背もたれ支持アーム２の前面に設けられた背もたれで、ここでは背面側のアウターシェル3aと前面側の背当て部材3bを重ね合わせて形成されている。背もたれ３は、その下部に設けた枢着部3cが背もたれ支持アーム２の立ち上がり部に形成されている軸支部2aに水平な取付軸ｍにより取付けられ、この取付軸ｍを中心に背もたれ３が前，後に傾動可能である。即ち、背もたれ支持アーム２が後傾したときでも、背もたれ３は枢着部3cを中心にこの支持アーム２の前面側において前，後に傾動する自由度を保持している。
【００１２】
背もたれ支持アーム２の軸支部2aに軸ｍにより枢支された上記背もたれ３は、上方において背面側の左，右がそれぞれ前後揺動可能に支持される。即ち、背もたれ支持アーム２の上で背もたれ３を前後揺動可能に支持する構造は、ここでは支持アーム２の上部側の左，右両端部と背シェル3aの左，右両側との間に弾性部材４，４を介在させて行っている。弾性部材４としては、図示した例では短柱状乃至は鼓状に形成したゴムを使用しているが、ゴム以外にバネ、例えば、板バネやコイルスプリングなども使用することができる。
【００１３】
次に、図２〜図５により、背もたれ３の支持構造についてより詳細に説明する。背もたれ支持アーム２の上部側が左右に拡開し、その左，右両端部側が前方に弯曲していて、弯曲部の前端面がそれぞれ背もたれ３の背シェル3aの左，右に対向している。当該前端面には、その略中央部から前方に向け支持杆2b，2bが突設形成され、それぞれの支持杆2b，2bの先端側には、先端面に平行な横向きの係合溝2c，2cが形成されている。なお、2dは支持杆2bの先端面の略中央部に設けたネジ孔である。
【００１４】
上記の支持杆2b，2bは、前面側にブロック状の弾性部材４，４を支持させた状態でアウターシェル3aの左，右に設けられた嵌合孔５，５に遊挿される。嵌合孔５，５は、支持杆2b，2bが上，下に変位し得るように縦長に形成されていると共に、側面側がテーパ面5aに形成されている。６は前記弾性部材４を支持して、嵌合孔５に遊挿された支持杆2bの先端部に取付けられる係止部材で、後面側が嵌合孔５のテーパ面5aに支持される弯曲面6aに形成されている。6bは前記係止部材６の後面側において弯曲面6aの前方に横向きに形成した係合片で、この係合片6bは、係止部材６を支持杆2bの先端部に取付けるとき、当該支持杆2bの先端側に形成した係合溝2cに嵌合される。
【００１５】
ここで図４，図５により、背もたれ３と支持アーム２の取付態様について詳述すると、まず、支持アーム２の上部側左，右の支持杆2b，2bに弾性部材４を嵌めて保持させ（図４，図５では図示せず）、この状態で背もたれ３のアウターシェル3aに形成した左右の嵌合孔５，５を嵌合させると共に、アウターシェル3aの前面側に突出した支持杆2b，2bのそれぞれの先端部に、係止部材６，６をその係合片6b，6bを当該支持杆2b，2bの先端側の係合溝2c，2cに嵌合させ、係止部材６の略中央部に形成されている穴6c，6cに前面側からタッピングビス6d，6dを入れ、支持杆2b，2bの先端面のネジ孔2d，2dに螺入して固定する。なお、着座者が背もたれ３に寄りかかったとき、アウターシェル3aが弯曲するなどして支持杆2b，2bに対して相対的に変位しても、嵌合孔５，５のテーパ面5a，5aは係止部材６の後面側の弯曲面6aに対し摺動を許容しているので、係止部材６には余計な負荷がかからず、損壊することはない。
【００１６】
なお、背もたれ３はその背面側の左，右において前，後に揺動可能に支持されるのであれば、上記以外の支持構造にしてもよい。また、背もたれ３は、その下部の略央部に位置する軸支点と、該支点より上方の背面側における左，右の２点の支持により、３つの支持点が略逆三角形状をなすように形成するのが、着座者の背中を均等に支持すると共に、着座者の右又は左に偏った後傾を支持する上で好ましい。
【００１７】
本発明の一例の背もたれ支持機構の構成は以上の通りであるので、次にその動作内容について説明する。着座者の姿勢変化により背もたれ３はその支持アーム２と共に後方に傾動する。背もたれ３が後方に傾動したとき、背もたれ３の上部側は背中によって大きな荷重を受けるが、この荷重は背もたれ支持アーム２による背もたれ３の前方への付勢力と均衡を保っている。しかし、着座者の腰部を中心に傾動するその着座者の背中と椅子の座板１の下側に傾動中心が設けられた背もたれ支持アーム２とでは、それぞれの傾動の中心が異なっているので、背もたれ３が後方に大きく傾動するとき、当該背もたれ３は、支持アーム２の後傾による後方回動とその背もたれ３の支持アーム２上での軸ｍを中心とする後方回動との複合後傾となり、着座者の背中の後傾する動きによく追従した動作をする。
【００１８】
また、背もたれ３の後傾において、着座者の姿勢が右又は左に傾いたり、捩れたりしたとき、背もたれ３はその傾いたり捩れたりした側に大きな偏荷重を受けるが、本発明背もたれ支持機構では、偏荷重を受けた側に傾動して背中の動きによく追従する。更に、本発明背もたれ支持機構では、背もたれ３が後方に大きく傾動する場合、背もたれ３はその下部が軸ｍにより支持アーム２に枢支されているので、背もたれ３の上部側が支持アーム２に対し上下方向に変位するが、背もたれ支持アーム２の支持杆2b，2bがアウターシェル3aの左，右に設けられた縦長の嵌合孔５，５に遊挿されこの嵌合孔５，５内において上，下に変位することにより対応できる。
【００１９】
以上に説明した本発明の背もたれ支持機構を具備するオフィス用の回転椅子の一例を図６に示す。図６に示した椅子では、支持アーム２の下部側が、座板１の下側に向けて曲げられその先端部が脚の支柱７の上部に設けたベース部材Ｂに枢着軸Ｔにより回動可能に取り付けられている。８は座板１に対し前後揺動可能で、内部のバネ（図示せず）により前方に付勢されている支持アーム２の前記バネの強弱を調節する操作部である。
【産業上の利用可能性】
【００２０】
本発明は以上の通りであって、本発明背もたれの支持機構によれば、着座者の後傾を、支持アームの後傾とこのアームの立ち上がり部に設けた軸を中心に後傾する背もたれとで受けるようにしたので、着座者の後傾動作に背もたれの動作をよく追従させることができる。
【００２１】
また、本発明背もたれの支持機構によれば、着座者の姿勢がその背中部分が後傾し乍ら左又は右に傾いたときや捩れたときでも、背もたれの上部側左右と支持アームの上部側左右に介在させた弾性部材の作用により、その傾き等に正確に追従してその傾き等による偏荷重を好適に吸収し得るので、着座者に違和感を与えることはない。
【００２２】
更に、本発明背もたれの支持機構は、上記のような機能を有しながら構造が簡単で背もたれも薄手に形成することができるので、コストを低減化できる上に、デザイン的にも最近の椅子に適合するものである。
【符号の説明】
【００２３】
１  座板
２  背もたれ支持アーム
３  背もたれ
４  弾性部材
５  嵌合孔
６  係合部材
７  脚の支柱
８  操作部
Ｂ  ベース部材
【図１】
2011000451.tif 000003
【図２】
2011000451.tif 000004
【図３】
2011000451.tif 000005
【図４】
2011000451.tif 000006
【図５】
2011000451.tif 000007
【図６】
2011000451.tif 000008